(57)【特許請求の範囲】
【請求項１】
下方に開口し物品の一部を差し込むことができる差込口を吊り下げ部の下方に形成し、該差込口に臨んで側方に開口する保持筒を形成し、該保持筒の内面に係止部を形成した本体と、
該保持筒内に押し込み若しくは引き出し可能に挿入される軸部と、該軸部の両側に挿入間隙を空けて設けられ、内方に撓むことができる側方片と、該側方片に形成され上記軸部を引き出した際上記係止部に係合する係止爪と、上記差込口に位置する物品を貫通し上記物品を保持可能な支持針を設けたつまみ部と、
上記係止爪が内方に撓まないよう該挿入間隙に挿入される変形阻止片を設けたフロントプレートを有することを特徴とする吊り下げ具。
【請求項２】
上記保持筒には上記つまみ部を押し込んだ際、上記係止爪が離脱可能に仮係合する内方段部が設けられている請求項１に記載の吊り下げ具。
【請求項３】
上記係止部は保持筒の開口部の開口縁に形成され、上記係止爪はつまみ部に設けた側方片の先端に設けられている請求項１又は２に記載の吊り下げ具。
【請求項４】
上記変形阻止片の先端は、係止爪の先端よりも後方に位置している請求項１から３のいずれかに記載の吊り下げ具。
【請求項５】
上記フロントプレートはつまみ部の軸部に形成した貫通孔に挿入される軸片を有し、該軸片の先端には貫通孔の開口縁に係合する係合突起が設けられている請求項１から４のいずれかに記載の吊り下げ具。
【請求項６】
上記つまみ部にはフロントプレートを受入れる凹み部が形成されている請求項５に記載の吊り下げ具。
【請求項７】
上記フロントプレートには支持針の頭部に当接する突部が設けられている請求項５または６に記載の吊り下げ具。
【請求項８】
上記本体の側壁には上記支持針の先端を受け入れる受孔が形成されている請求項１から７のいずれかに記載の吊り下げ具。
【発明の詳細な説明】
【技術分野】
【０００１】
本発明は、詰替用のシャンプー液パック、トリートメント液パック、リンス液パックや洗剤パックその他の表面が滑り易い素材で形成され、重量があるパウチ等のような物品を吊り下げできるようにした吊り下げ具に関し、特に構成が簡単で経済的に得れるようにした吊り下げ具に係るものである。
【背景技術】
【０００２】
詰替用のシャンプー液パック、トリートメント液パック、リンス液パックや洗剤パックその他の各種パウチを、ボトルに詰め替えないで使用できるようパックを逆さに吊り下げるようにしたホルダーが知られている。このようなホルダーは、種々提案されており、本件出願人は、パウチの一部に支持針を刺し込んで保持できるようにした吊り下げ具を提案した（特許文献１参照）。この吊り下げ具は、支持針がパウチの一部に貫通するので、落下するおそれはなく、しっかりとパウチを吊り下げることができる。しかし、この吊り下げ具は、保持筒を有する本体と、この保持筒に挿入固定されスリットを有する内筒と、この内筒に押し込み若しくは引き出し可能に挿入されるつまみ部で構成されている。組み立てに際しては、内筒を押し広げ、ストッパーを有するつまみ部の軸部を内筒の挿通口から内筒内に押し込み、内筒の先端に形成した係止爪を本体の掛止孔に差し込んで係合させなければならないので、組立が面倒であり、構造が複雑で経済的に得にくかった。また、内筒の先端に形成した係止爪は、掛止孔の孔周縁に係合した状態でも、内方に撓む（傾斜）ことが可能であるから、つまみ部を強く引くと、係止爪が内方に撓んで係合が外れ、内筒及びつまみ部が本体から脱落するおそれもあった。
【先行技術文献】
【特許文献】
【０００３】
【特許文献１】特開２０１１−１１１１号公報（請求項６、段落００１１、００１２、図２）
【発明の概要】
【発明が解決しようとする課題】
【０００４】
本発明の解決課題は、上記のように詰替用シャンプー液パック等のパウチのように重く表面が滑り易い物品を確実に吊り下げでき、構成が簡単で、つまみ部を強く引いても吊り下げ具本体からつまみ部が脱落するおそれのない吊り下げ具を提供することである。
【課題を解決するための手段】
【０００５】
本発明によれば、下方に開口する差込口を吊り下げ部の下方に形成し該差込口に臨んで側方に開口する保持筒を形成した本体と、該保持筒内に押し込み若しくは引き出し可能に挿入され上記差込口を貫通可能な支持針を有するつまみ部を具備し、該保持筒の内面には係止部が形成され、該つまみ部には引き出した際係止部に係合可能な係止爪と、該係止爪が内方に撓むことを許容する挿入間隙と、係止爪が内方に撓まないよう該挿入間隙に挿入される変形阻止片が設けられていることを特徴とする吊り下げ具が提供され、上記課題が解決される。
【０００６】
また、本発明によれば、上記吊り下げ具の保持筒には上記つまみ部を押し込んだ際上記係止爪が離脱可能に仮係合する内方段部が設けられている上記吊り下げ具が提供され、上記課題が解決される。
【発明の効果】
【０００７】
本発明は、上記のように構成され、下方に開口する差込口を吊り下げ部の下方に形成し該差込口に臨んで側方に開口する保持筒を形成した本体と、該保持筒内に押し込み若しくは引き出し可能に挿入され上記差込口を貫通可能な支持針を有するつまみ部を具備し、該保持筒の内面には係止部が形成され、該つまみ部には引き出した際上記係止部に係合可能な係止爪と、該係止爪が内方に撓むことを許容する挿入間隙と、係止爪が内方に撓まないよう該挿入間隙に挿入される変形阻止片が設けられているので、上記変形阻止片を挿入間隙に差込んだ状態では係止爪は内方に撓むことはできず、そのためつまみ部を強く引っ張っても係止爪と係止部の係合は外れることはなく、確実につまみ部を本体に組み込むことができる。その上、従来のように内筒を設けることなく、つまみ部を直接本体に組み込むようにしたので、部品点数が少なく、製造が簡単である。組み立てる際も、従来のようにスリットを設けた内筒を押し広げてつまみ部を内筒内に押し込むというような面倒な作業が省略され、容易に組み立てでき、経済的に作ることができる。物品を吊り下げる際は、つまみ部を保持筒から引き出した状態で差込口に詰替えパック等の物品の一部、例えばパックの底部を折り畳んで挿入し、その後該つまみ部を保持筒内に押し込むと、つまみ部に設けた支持針が差込口を横切ってパックの一部を貫通し、パックを確実に保持して吊り下げることができる。上記つまみ部を上記係止爪が係止部に当る位置まで保持筒から引き出せば、上記支持針は上記パックから抜き出されるから、該パックを差込口から取り出し、交換することができる。
【０００８】
また、上記保持筒に上記つまみ部を押し込んだ際、係止爪が離脱可能に仮係合する内方段部を設けると、つまみ部をパックの保持位置まで挿入したことを確認でき、保持位置につまみ部を仮保持できるから、吊り下げた状態の物品が不意に脱落するようなおそれもない。
【図面の簡単な説明】
【０００９】
【図１】本発明の一実施例を示す斜視図。
【図２】分解斜視図。
【図３】つまみ部を示し、（Ａ）は半断面図、（Ｂ）は平面図、（Ｃ）は底面図
【図４】変形阻止片を示し、（Ａ）は半断面図、（Ｂ）は底面図
【図５】一部の拡大断面図。
【図６】使用状態を示し、つまみを引き出した状態の説明図。
【図７】つまみを押し込んだ状態の説明図。
【図８】パックを吊り下げた状態の説明図。
【発明を実施するための形態】
【００１０】
本発明の一実施例を示す図１〜図６を参照し、本体１は、上方に吊り下げ部２を有し、その下部には下方に開口する差込口３を具備している。該本体は、図１に示す実施例では、対向する側壁４、５を張り合わせて構成され、該差込口に臨む一方の側壁４側には側方に開口する保持筒６が設けられている。他方の側壁５側には上記保持筒６に対向する位置に突部７が形成され、その内面には受孔８が設けられている。上記本体１は全体を一体的に構成することもできるが、実施例においては、側壁４、５を有する一対の本体要素９、１０を形成し、これを組み合わせて接合面１１を超音波溶接している。超音波溶接に代えて接着剤で接着したり、両者をねじ止めしてもよい。また、一対の本体要素を形成しないで差込口を構成するいずれか一方の側壁の一部を切り欠いた本体と、該切欠部に相当する別部材を設け、これらを組み合わせて、差込口を形成するようにしてもよい（図示略）。吊り下げ部は、フック状に形成してあるが、ピンや軸（図示略）等に掛け止めるための掛け孔を設けたり、吸盤や磁石等を設けて吊り下げできるようにしてもよい（図示略）。
【００１１】
上記保持筒６は、図に示す実施例では、一端が開口する略楕円筒状に設けられ、内方に形成した底板１２には針貫通孔１３が設けられ、底板の両側には挿通孔１４が設けられている。該挿通孔１４は保持筒の内側面に連通し、該保持筒の開口端の内面には、内側面を凹ませた係止部１５が形成され、該係止部１５よりも深さの浅い内方段部１６が上記底板１２側の内面に形成されている。なお、係止部１５は保持筒６の開口端よりも内方に形成することもできる。
【００１２】
上記保持６筒内には、押し込み若しくは引き出し可能につまみ部１７が挿入される。該つまみ部１７は、周縁が上記保持筒６の開口縁に当接する形状で外側側に凹み部１８を有する前面板１９と、上記保持筒６内に内接状態で挿入される軸部２０を有し、該軸部２０には上記差込口３を水平方向に貫通するよう支持針２１が２本設けられている。該軸部２０の両側には挿入間隙２２を空けて側方片２３が設けられ、該側方片２３の先端には係止爪２４が形成されている。該係止爪２４はつまみ部１７を引き出した際、上記保持筒６の係止部１５に係合し、つまみ部１７を押し込んだ際、上記内方段部１６に離脱可能に仮係合する。上記軸部２０のほぼ中央には、両端が開口する貫通孔２５が形成されている。
【００１３】
上記挿入間隙２２に面する軸部２０の外側面及び側方片２３の内側面は平面に形成され、両面間の幅は側方片２３（係止爪２４）が内方に撓むことができる幅に形成されている。この構成により、つまみ部１７を保持筒６に挿入する際、保持筒６の係止部１５を越えて側方片２３及び係止爪２４を内方に撓ませることができ、組み立てが容易である。側方片２３の外側面は保持筒６の両端側の内側面に摺接するよう弧状に形成されている。係止爪２４は、上記係止部１５に確実に係合するよう前面板１９側の高さ（厚さ）が大きく、先端側が前面板１９側の高さ（厚さ）に比べて低く（薄く）なるよう傾斜している。これにより、上記保持筒６につまみ部１７を挿入する際、側方片２３は保持筒６内に容易に入り込む。
【００１４】
上記つまみ部１７の挿入間隙２２には、上記側方片２３が内方に撓まないよう変形阻止片２６が挿入される。該変形阻止片２６は、上記つまみ部１７の凹み部１８に入り込むフロントプレート２７の内側に対向状態に形成されている。該フロントプレート２７には上記軸部２０の貫通孔２５に挿入される一対の軸片２８が対向状態に形成され、該軸片２８の先端外側には該貫通孔２５の内方の開口端に係合するよう係合突起２９が設けられている。また、フロントプレート２７には、上記支持針２１の頭部３０を押えることができるよう突部３１が形成されている。該変形阻止片２６の長さは、適宜の長さに形成することもできるが、好ましくは上記挿入間隙２２に挿入した際、変形阻止片２６の先端が側方片２３の先端まで達しない程度の長さ、図に示す実施例では変形阻止片２６の先端が係止爪２４の肉厚部の背面に位置するが、先端との間には空間が形成される程度の長さにするとよい。このようにすると、つまみ部１７を押し込んで上記内方段部１６に係止爪２４を仮係合させたとき、係止爪２４の先端をわずかに内方に撓ませる（傾ける）ことができるから、つまみ部１７を強く引いて係合を離脱させることが容易である。また、つまみ部１７に変形阻止片２６を挿入した状態でも係止爪２４の先端をわずかに撓ませることができるので、予めつまみ部１７に変形阻止片２６を挿入してから保持筒６につまみ部１７を挿入することができる。なお、上記支持針２１は金属材料で形成されているが、その他の部材、上記本体１、つまみ部１６、変形阻止片２６等はプラスチック材料で構成してあるので、弾力性を有し、上記の係合、離脱作用に支障を生じることがなく、簡単に形成することができる。
【００１５】
上記の構成により、保持筒６につまみ部１７を挿入してから変形阻止片２６をつまみ部１７に挿入し、若しくは変形阻止片２６を挿入間隙２２に差し込んだつまみ部１７を保持筒６に挿入すると、つまみ部１７の係止爪２４は、図５に示すように保持筒６の奥部に形成された内方段部１６に仮係合し、つまみ部１７は押し込み位置に仮保持される。そして、つまみ部１７を強く引き出すと、係止爪２４は仮係合が外れて保持筒６の開口端側に形成した係止部１５に係合し、つまみ部１７を引き出し位置に保持することができる。この際、側方片２３の背面側に変形阻止片２６が入り込んで係止爪２４の内方側への撓み（傾斜）が阻止されているので、係止爪２４が係止部１５から外れない。
【００１６】
したがって、図６に示すようにつまみ部１７を引き出して支持針２１を後退させた後、差込口３の下方から、吊り下げたいパック等の物品３２を差し込み、図７に示すようにつまみ部１７を押し込めば、支持針２１が上記物品３２の一部を貫通してその先端が対向する側壁に設けた受孔８に入り込み、物品３２を確実に保持することができる。そして、図８に示すように、上記フック等の吊り下げ部２を適宜のハンガー３３に引っ掛ければ、全体を吊り下げることができる。その後、詰替用のシャンプー液パック等の場合は、その下端にポンプ３４を設けておけば、このポンプ３４を操作してパック内の内容物を取り出すことができる。
【００１７】
上記内容物がなくなったら、図６に示すようにつまみ部１７を引き出して支持針２１を物品（パック）から外せば、該物品を新たな物品と交換することができる。使用態様として、上記各実施例では詰替用のシャンプー液パック等のパウチを逆さに吊るす場合の吊り下げ具につき説明したが、本発明の吊り下げ具はその他各種の物品の吊り下げに適用できることは明らかである。
【符号の説明】
【００１８】
１  本体
２  吊り下げ部
３  差込口
６  保持筒
１５  係止部
１６  内方段部
１７  つまみ部
２０  軸部
２１  支持針
２２  挿入間隙
２３  側方片
２４  係止爪
２６  変形阻止片
２７  フロントプレート
２８  軸片
【図１】
0005746591.tif 000002
【図２】
0005746591.tif 000003
【図３】
0005746591.tif 000004
【図４】
0005746591.tif 000005
【図５】
0005746591.tif 000006
【図６】
0005746591.tif 000007
【図７】
0005746591.tif 000008
【図８】
0005746591.tif 000009